【事件の表示】
　特許第３３７１３３４号「浄水器」の請求項１ないし８に係る特許に対する特許異議の申立てについて、次のとおり決定する。
【結　論】
　訂正を認める。
　特許第３３７１３３４号の訂正後の請求項１ないし６に係る特許を維持する。
【理　由】
１．手続きの経緯
　特許第３３７１３３４号の請求項１〜８に係る発明についての出願は、平成１３年１月１６日に特許出願されたものであって、平成１４年１１月２２日にその発明について特許の設定登録がされ、その後、その特許について、異議申立人三菱レイヨン株式会社（以下、「申立人」という。）により特許異議の申立てがなされ、平成１５年１１月１９日付けで取消理由通知がなされ、その指定期間内である平成１６年１月２８日付けで特許権者より訂正請求がなされ、その後、申立人に対し審尋がなされたところ、平成１６年４月１３日付けで申立人より回答書が提出されたものである。
　　　　　　　　　　　　
２．訂正の適否
（１）訂正の内容
　本件訂正の内容は、本件特許明細書を訂正請求書に添付された訂正明細書のとおりに、すなわち訂正事項ａ〜ｄのとおりに訂正しようとするものである。
訂正事項ａ：本件特許明細書の特許請求の範囲を以下のとおりに訂正する。
「【特許請求の範囲】
【請求項１】ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別するろ過カートリッジ識別部と、そのろ過カートリッジ識別部の信号に基づいて演算を行う回路とを備え、さらに、浄水通水時に、ろ過カートリッジ識別部の信号に基づいて装着したろ過カートリッジの種類を表示すると同時に、回路が発する信号に基づいて装着したろ過カートリッジに合わせたカートリッジ寿命を表示し、さらに電源交換時期を表示する表示部を備えていることを特徴とする浄水器。
【請求項２】前記表示部は、ろ過カートリッジ種類表示素子と、ろ過カートリッジの種類に合わせた交換時期を表示するためのろ過カートリッジ交換表示素子と、電源交換表示素子とをまとめて設けた１つの液晶表示器を備え、前記ろ過カートリッジ交換表示素子は複数個のブロックからなり、その複数個のブロックからなるろ過カートリッジ交換表示素子を段階的に消灯あるいは点灯させることでろ過カートリッジの交換時期を表示する、請求項１に記載の浄水器。
【請求項３】液晶表示器は、本体部の上部に設けられている、請求項２に記載の浄水器。
【請求項４】ろ過カートリッジは種類識別のための印を備え、本体部に設けられたろ過カートリッジ識別部がろ過カートリッジに設けられた印を識別する、請求項１〜３のいずれかに記載の浄水器。
【請求項５】印は、ろ過カートリッジの外壁に形成された突起および／または凹みである、請求項４に記載の浄水器。
【請求項６】ろ過カートリッジは種類識別のための磁石を備え、本体部はろ過識別部として磁気スイッチを備えている、請求項１〜４のいずれかに記載の浄水器。」
訂正事項ｂ：本件特許明細書の段落【０００７】の
「【０００７】上記課題を達成するために本発明は、ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別する識別部と、その識別部の信号に基づいて装着したろ過カートリッジの種類を表示する表示部とを備えている浄水器を特徴とするものである。」を、
「【課題を解決するための手段】上記課題を達成するために本発明は、ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別するろ過カートリッジ識別部と、そのろ過カートリッジ識別部の信号に基づいて演算を行う回路とを備え、さらに、浄水通水時に、ろ過カートリッジ識別部の信号に基づいて装着したろ過カートリッジの種類を表示すると同時に、回路が発する信号に基づいて装着したろ過カートリッジに合わせたカートリッジ寿命を表示し、さらに電源交換時期を表示する表示部を備えている浄水器を特徴とするものである。」と訂正する。
訂正事項ｃ：本件特許明細書の段落【０００８】の
「【０００８】ここで、本体部が、装着したろ過カートリッジの種類を識別するろ過カートリッジ識別部と、そのろ過カートリッジ識別部からの信号に基づいて演算を行う回路とを備え、その回路が発する信号に基づいて、装着したろ過カートリッジに合わせたカートリッジ寿命を表示することや、ろ過カートリッジ種類表示素子と、ろ過カートリッジの種類に合わせた交換時期を表示するためのろ過カートリッジ交換表示素子と、電源交換表示素子とをまとめて設けた１つの液晶表示器を備えていることが好ましい。また、ろ過カートリッジ交換表示素子は複数個のブロックからなり、その複数個のブロックからなるろ過カートリッジ交換表示素子を段階的に消灯あるいは点灯させることでろ過カートリッジの交換時期を表示することが好ましい。液晶表示器を、本体部の上部に設けることも好ましい。」を、
「ここで、前記表示部は、ろ過カートリッジ種類表示素子と、ろ過カートリッジの種類に合わせた交換時期を表示するためのろ過カートリッジ交換表示素子と、電源交換表示素子とをまとめて設けた１つの液晶表示器を備え、前記ろ過カートリッジ交換表示素子は複数個のブロックからなり、その複数個のブロックからなるろ過カートリッジ交換表示素子を段階的に消灯あるいは点灯させることでろ過カートリッジの交換時期を表示することが好ましい。液晶表示器を、本体部の上部に設けることも好ましい。」と訂正する。
訂正事項ｄ：本件特許明細書の段落【００６５】の
「【００６５】本発明の浄水器は、ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別する識別部と、その識別部の信号に基づいて装着したろ過カートリッジの種類を表示する表示部とを備えているので、使用者は、使用中の浄水カートリッジの種類を容易に確認できる。ろ過カートリッジの交換時期を表示する場合には、ろ過カートリッジが寿命に達して交換が必要であることを知ることができ、ろ過カートリッジを適切な時期に交換できる。また、電源の交換時期を表示する場合には、電源が寿命に達し積算流量やカートリッジ種類のデータが消滅するのを未然に防ぐことができる。さらに、表示部を液晶表示器とする場合、多様な情報を文字やイラストで視覚的に表すことができるので、使用者にとって大変わかりやすいものとすることができる。」を、
「【発明の効果】本発明の浄水器は、ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別するろ過カートリッジ識別部と、そのろ過カートリッジ識別部の信号に基づいて演算を行う回路とを備え、さらに、浄水通水時に、ろ過カートリッジ識別部の信号に基づいて装着したろ過カートリッジの種類を表示すると同時に、回路が発する信号に基づいて装着したろ過カートリッジに合わせたカートリッジ寿命を表示し、さらに電源交換時期を表示する表示部を備えているので、使用者は、使用中の浄水カートリッジの種類を容易に確認できる。そして、ろ過カートリッジが寿命に達して交換が必要であることを知ることができ、ろ過カートリッジを適切な時期に交換できる。また、電源が寿命に達し積算流量やカートリッジ種類のデータが消滅するのを未然に防ぐこともできる。さらに、表示部を液晶表示器とする場合、多様な情報を文字やイラストで視覚的に表すことができるので、使用者にとって大変わかりやすいものとすることができる。」と訂正する。
　　　
（２）訂正の目的の適否、新規事項の有無及び特許請求の範囲の拡張又は変更の存否
　訂正事項ａは、（ａ−１）訂正前の請求項１を訂正前の請求項２に減縮して訂正後の請求項１とし、「識別部」を「ろ過カートリッジ識別部」と限定し、「表示部」について「浄水通水時にろ過カートリッジ識別部の信号に基づいて装着したろ過カートリッジの種類を表示すると同時に、回路が発する信号に基づいて装着したろ過カートリッジに合わせたカートリッジ寿命を表示」することとし、さらに「電源交換時期を表示する」ことに限定するものであり、また、（ａ−２）訂正前の請求項２を削除し、（ａ−３）訂正前の請求項３を訂正前の請求項４に減縮して新たに訂正後の請求項２とし、その技術内容から「前記表示部は」を付記して明りょうにするとともに、訂正前の請求項４を削除し、（ａ−４）訂正前の請求項２及び請求項４の削除に伴い、請求項５〜８の項番を順次繰り上げて訂正後の請求項３〜６とするとともに、訂正後の請求項４及び請求項６の「識別部」を「ろ過カートリッジ識別部」に限定して明りょうにし、（ａ−５）従属形式の請求項２〜６の引用する請求項を（ａ−１）〜（ａ−４）の訂正に伴って整合するものであるから、訂正事項ａは特許請求の範囲の減縮、又は明りょうでない記載の釈明を目的とする訂正に該当す
請求の範囲の減縮を目的とする訂正に該当する。
　なお、申立人は回答書において概ね「少なくともカートリッジ種類とカートリッジ寿命を同時に表示することは、最初の明細書又は図面に記載した事項ではない」（第２頁１３〜１５行）、「カートリッジ種類とカートリッジ寿命と電源交換時期との３種類の情報を『浄水通水時に』『同時に』表示するという訂正事項について、出願時の明細書及び図面には開示されていない」（第３頁１１〜１４行）及び「浄水通水時に、カートリッジ種類表示素子が消灯の場合には特定種類のカートリッジ装着状態を表示している、とは必ずしもいえない」（第３頁２６〜２７行）と主張しているが、本件特許明細書の段落【００４８】には「液晶表示器には、ろ過カートリッジ交換表示素子と、電池交換表示素子と、カートリッジ種類表示素子とが設けられ、それらが点灯、消灯、点滅することで、カートリッジの寿命、電池の寿命、カートリッジの種類を表示し、本実施態様のように１つの表示器にまとめて設け、使用者が一目で多数の情報を読み取ることができる」ことが記載され、第１７図にそのことが窺える。また、段落【００５９】に「この浄水の積算流量に応じて、ろ過カートリッジの残存寿命が液晶表示器のろ過カートリッジ交換表示素子に表示される」こと、段落【００６０】に「カートリッジの種類に合わせたカートリッジ残存寿命表示がされる」こと、段落【００６１】に「液晶表示器は、カートリッジ種類表示素子が、ろ過カートリッジ識別部からの信号に基づいて点灯、消灯することにより、装着しているカートリッジの種類を表示する」こと、また、段落【００６３】に「液晶表示器は、ろ過カートリッジを使用しない場合には消灯する」ことが記載されている。これらの記載から、本件明細書及び図面には「浄水通水時」に、「ろ過カートリッジ識別部の信号に基づいて装着したろ過カートリッジの種類を表示する」、「回路が発する信号に基づいて装着したろ過カートリッジに合わせたカートリッジ寿命を表示する」、さらに「電源交換時期を表示する」ことが記載されているとみれ、また、カートリッジの種類を一つを消灯で表示するの場合は、「たとえば、・・」（段落【００６１】）と記載しているように一例にすぎないものであり、仮にこの場合でも、カートリッジ非装着状態では、カートリッジの種類表示は消灯となるものの、カートリッジ種類に応じたカートリッジ残存寿命も表示されることはなく、正常装着状態での表示を確認できるのであるから、上記主張を認めることはできない。
　そして、訂正事項ａは、本件の願書に添付した明細書又は図面の段落【００４８】、【００５９】、【００６０】〜【００６３】、図１７の記載に基づくものであるから、願書に添付した明細書又は図面に記載された事項の範囲内の訂正であり、新規事項の追加に該当せず、また、実質上特許請求の範囲を拡張し又は変更するものではない。
　また、上記訂正事項ｂ、ｃ、ｄは、訂正事項ａと整合を図るとともに、特許請求の範囲の記載と整合を図るものであるから、明りょうでない記載の釈明を目的とする訂正に該当する。そして、訂正事項ｂ〜ｄは、訂正事項ａで見たとおり、願書に添付した明細書又は図面に記載された事項の範囲内の訂正であり、新規事項の追加に該当せず、また、実質上特許請求の範囲を拡張し又は変更するものではない。
る。
（３）むすび
　以上のとおりであるから、上記訂正は、特許法第１２０条の４第２項及び第３項において準用する特許法第１２６条第２項から第４項までの規定に適合するので、当該訂正を認める。
　　
３．特許異議の申立てについて
３−１．本件発明
　上記のとおり、訂正は認められるから、訂正後の本件請求項１〜６に係る発明（以下、それぞれ「本件発明１」〜「本件発明６」という。）は、訂正明細書の特許請求の範囲の請求項１〜６に記載された次のとおりのものである。
【請求項１】ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別するろ過カートリッジ識別部と、そのろ過カートリッジ識別部の信号に基づいて演算を行う回路とを備え、さらに、浄水通水時に、ろ過カートリッジ識別部の信号に基づいて装着したろ過カートリッジの種類を表示すると同時に、回路が発する信号に基づいて装着したろ過カートリッジに合わせたカートリッジ寿命を表示し、さらに電源交換時期を表示する表示部を備えていることを特徴とする浄水器。
【請求項２】前記表示部は、ろ過カートリッジ種類表示素子と、ろ過カートリッジの種類に合わせた交換時期を表示するためのろ過カートリッジ交換表示素子と、電源交換表示素子とをまとめて設けた１つの液晶表示器を備え、前記ろ過カートリッジ交換表示素子は複数個のブロックからなり、その複数個のブロックからなるろ過カートリッジ交換表示素子を段階的に消灯あるいは点灯させることでろ過カートリッジの交換時期を表示する、請求項１に記載の浄水器。
【請求項３】液晶表示器は、本体部の上部に設けられている、請求項２に記載の浄水器。
【請求項４】ろ過カートリッジは種類識別のための印を備え、本体部に設けられたろ過カートリッジ識別部がろ過カートリッジに設けられた印を識別する、請求項１〜３のいずれかに記載の浄水器。
【請求項５】印は、ろ過カートリッジの外壁に形成された突起および／または凹みである、請求項４に記載の浄水器。
【請求項６】ろ過カートリッジは種類識別のための磁石を備え、本体部はろ過識別部として磁気スイッチを備えている、請求項１〜４のいずれかに記載の浄水器。
３−２．取消理由通知の概要
　訂正前の請求項１〜８に係る発明は、刊行物１〜６記載された発明に基づいて当業者が容易に発明をすることができたものであるから、訂正前の請求項１〜８に係る発明の特許は特許法第２９条第２項の規定に違反してなされたものであるから、取り消されるべきものである。
３−３．刊行物の記載内容
（１）刊行物１：特開平１１−６５６号公報（申立人が提示した甲第１号証）
　刊行物１には「浄水器」に関し次の事項が記載されている。
（ア）「【請求項１】浄水器本体に着脱自在に取り付けられ、内部に導入された原水を濾過する濾過カートリッジと、該濾過カートリッジの使用開始以後に該濾過カートリッジ内を流れた水の積算流量を算出する積算流量算出手段と、該積算流量算出手段により算出された積算流量と前記濾過カートリッジの基準寿命到達積算流量とを比較する比較手段とを備えた浄水器において、前記濾過カートリッジに設けられ、該濾過カートリッジの寿命到達積算流量を識別可能とする寿命到達積算流量識別部と、該寿命到達積算流量識別部から前記濾過カートリッジの寿命到達積算流量を識別して、そのデータを前記基準寿命到達積算流量として前記比較手段に供給する寿命到達積算流量設定部とを備えてなることを特徴とする浄水器。
【請求項２】請求項１記載の浄水器において、前記比較手段による比較結果を報知する報知手段を備えてなることを特徴とする浄水器。」（【特許請求の範囲】）
（イ）「本発明は、以上のような点を考慮してなされたもので、異種の濾過カートリッジに交換した際にも、新たな浄水器を購入することなく、該濾過カートリッジの交換時期を検出できる浄水器を提供することを目的とする。」（段落【０００７】）
（ウ）「一方、濾過カートリッジ４には、浄水器本体３との接合面に、該浄水器本体３に対向して磁性体２５（寿命到達積算流量識別部）が設けられており、浄水器本体３には浄水部流入路６の途中に、かつ磁性体２５の近傍に濾材寿命計測器２６が設けられている。磁性体２５は、該磁性体２５が設けられた濾過カートリッジ４の寿命到達積算流量を識別可能とする識別手段として設けられたものである。」（段落【００１７】）
（エ）「図１に示すように、濾材寿命計測器２６は、寿命検知回路２８と識別回路２９（寿命到達積算流量設定部）と表示回路３０（報知手段）とこれら回路に電力を供給する電源回路３１とを備えた構成とされている。識別回路２９は、磁性体２５を識別して濾過カートリッジ４の寿命到達積算流量を設定するものであって、識別用演算回路３２と濾材寿命設定回路３３とから構成されるものである。」（段落【００１８】）
（オ）「識別用演算回路３２は、濾過カートリッジ４が浄水器本体３に取り付けられたときに磁性体２５からの信号を処理するものであって、電源回路３１との間に定電流回路３４を介して配置され、磁性体２５の情報を磁気抵抗として読み取る磁気抵抗素子３５と、該磁気抵抗素子３５からの出力を増幅する増幅回路３６と、該増幅回路３６で増幅された出力を基準電圧と比較する濾材比較回路３７とを備えた構成とされている。濾材寿命設定回路３３は、識別用演算回路３２が処理した結果に基づいて濾過カートリッジ４が、小容量か大容量を識別すると共に、そのときの濾過カートリッジ４の寿命到達積算流量を基準寿命到達積算流量として設定するものである。」（段落【００１９】）
（カ）「寿命比較回路３９は、積算流量算出回路３８で算出された積算流量と、濾材寿命設定回路３３で設定され、該濾材寿命設定回路３３から供給された濾過カートリッジ４の基準寿命到達積算流量とを比較するものであり、比較した結果、積算流量が基準寿命到達積算流量に達していたときには、その信号を表示回路３０へ送るものである。表示回路３０は、寿命比較回路３９からの信号に基づいて、積算流量が基準寿命到達積算流量に達していたときに、使用者に対してＬＥＤ等により表示するものである。」（段落【００２３】）
（キ）「上記の構成の浄水器の動作について説明する。まず、浄水器本体３に小容量の濾過カートリッジ４を取付ける。これにより、識別回路２９が作動して、磁気抵抗素子３５が濾過カートリッジ４に設けられた磁性体２５の磁気抵抗を読み取り、定電流回路３４を介して増幅回路３６へ出力する。そして、増幅回路３６で増幅された出力信号は、濾材比較回路３７へ送られ、ここで基準電圧と比較された後、比較結果として濾材寿命設定回路３３へ送られる。」（段落【００２４】）
（ク）「積算流量記憶回路４１は、・・・寿命比較回路３９がこの積算流量記憶回路４１に記憶されている積算流量値と、濾材寿命設定回路３３に設定されている基準寿命到達積算流量とを比較して、積算流量値が基準寿命到達積算流量に達していたときには、信号を表示回路３０へ送る。表示回路３０は、寿命比較回路３９からの信号に基づいて、使用者に対してＬＥＤ表示により濾過カートリッジ４の交換時期が到来した旨の表示をする。」（段落【００３０】）
（ケ）「本実施の形態の浄水器によれば、異種の濾過カートリッジ４に交換しても識別回路２９により自動的にその寿命到達積算流量を設定できる。また、表示回路３０により、濾過カートリッジ４の交換時期の到来を知ることができる。」（段落【００３２】）
（コ）「また、濾過カートリッジの寿命到達流水量を・・・濾過カートリッジの寿命到達流水量を磁気抵抗素子を用いて識別しているが、ホール効果を利用したホール素子やホールＩＣに類する検出素子を用いて濾過カートリッジの種類をより細かく識別できるようにしてもよい。濾過カートリッジにおいても、その寿命到達流水量を磁性体ではなく、例えば、濾過カートリッジに寿命到達流水量に応じた突部を設け、識別用演算回路において該突部が示す情報を読み取るような構成であってもよい。」（段落【００３４】）
（サ）「流量計測手段としては、浄水部流入路６内に流量を一定にする定量弁を設け、原水がその定量弁を通過している時間を積算して積算流量値とするような構成であってもよい。また、濾過カートリッジが寿命に達したことをＬＥＤ表示する構成としたが、例えば、ＬＥＤに代えて、ブザー、液晶ディスプレイ等により使用者に報知する構成であってもよい。」（段落【００３５】）
（シ）第１図（第５頁）に「本発明の実施の形態による浄水器の構成を示すブロック図」が記載され、そこに「濾材寿命計測器２６が寿命検知回路２８と識別回路２９と表示回路３０と電源回路３１とを備えた構成であり、識別回路２９が磁性体２５と関連して、識別用演算回路３２と濾材寿命設定回路３３とから構成される」ことが図示されている。
（ス）第２図（第６頁）及び第３図（第５頁）に「本発明の実施の形態の浄水器の断面図」が記載され、そこには「浄水器本体３、ろ過カートリッジ４、活性炭１１と中空糸膜１２を収納した濾過体１５、磁性体２５、濾材寿命計測器３６等の構成」が図示されている。
（２）刊行物２：特開平１０−９０７８０号公報（申立人が提示した甲第２号証）
　刊行物２には「カメラのフィルムカートリッジ情報表示装置」に関して次の事項が記載されている。
（ア）「【請求項１】自己推進式のフィルムカートリッジを装填可能なカメラであって、前記フィルムカートリッジがカメラに装填され、ローディング手段が前記フィルムカートリッジのフィルムをローディングしている間は、前記フィルムカートリッジからフィルムカートリッジ情報を読み込んでその情報を表示する表示手段を備えたこと、を特徴とするカメラのフィルムカートリッジ情報表示装置。」（【特許請求の範囲】）
（イ）「【請求項４】請求項１から３のいずれか一項において、前記フィルムカートリッジ情報は、カートリッジの有無、最大撮影コマ数、フィルムの種類、露光状態、ＩＳＯ感度を含むことを特徴とするカメラのフィルムカートリッジ情報表示装置。」（【特許請求の範囲】）
（ウ）「【請求項５】請求項１から４のいずれか一項において、前記表示手段は、カメラ情報の表示部としてデータ表示部およびコマ数表示部を備え、前記フィルムカートリッジ情報を表示するときは、前記データ表示部にフィルムの種別およびＩＳＯ感度情報を表示し、前記コマ数表示部に最大撮影コマ数情報を表示することを特徴とするカメラのフィルムカートリッジ情報表示装置。」（【特許請求の範囲】）
（エ）「自己推進式フィルムカートリッジを使用するカメラは、カートリッジをカートリッジ室に装填した状態で、カートリッジの表面をカメラ外から見ることができない。そのため、カメラに装填されたフィルム情報を、未撮影時、撮影中に何らかの表示手段によって表示することが望まれていた。」（第２頁右欄１〜６行、段落【０００３】）
（オ）「図６には、ＬＣＤパネル５１の表示素子を全て点灯状態で示してある。符号５３は、電源オフ時には、撮影可能枚数（または撮影済み枚数）または最大撮影コマ数を表示し、電源オン時には撮影可能枚数（または撮影済み枚数）を表示するコマ数表示部、符号５４は、装填されたカートリッジの最大撮影コマ数表示である旨を識別するＥＸマーク、符号５５はカートリッジが装填されていることを表示するカートリッジマーク、符号５６はＩＳＯ感度の表示である旨を識別するＩＳＯマーク、符号５７はズーム操作レバー３７の操作により変更／操作可能であること（本実施例ではデート情報、タイト情報の変更が可能であること）を示すズーム操作レバーマーク、符号５８、５９、６０は、デート、あるいはＩＳＯ感度を表示するデータ表示部、符号６１、６２はメッセージの書き込みを表示する書き込みマーク（鉛筆マーク）およびメッセージの言語切替可能状態を表示する言語マークである。符号６３は遠景撮影モードを表示する遠景撮影マーク、符号６４はセルフタイマーモードを表示するセルフタイマーマーク、符号６５はリモコンモードを表示するリモコンマーク、符号６６は電池消耗を表示する電池消耗マーク、符号６７は、ストロボを発光させるストロボ発光マーク、符号６８は、ストロボ発光マーク６７と共に点灯してストロボ発光禁止を表示する発光禁止マークである。」（第３頁右欄１〜２４行、段落【００１３】）
（カ）「図７には、このカメラにフィルムカートリッジを装填したときの、ローディング時にフィルムカートリッジからフィルムカートリッジ情報を読み込んだ場合、および電源オフで外部操作がなされた場合における、フィルムカートリッジ情報表示の一例を示している。この実施例ではローディングの間、コマ数表示部５３に最大撮影コマ数が「４０」であることが表示され、最大撮影コマ数表示である旨のＥＸマーク５４が点灯し、フィルムカートリッジマーク５５にフィルムカートリッジが装填されている旨が表示され、データ表示部５８、５９に表示されているのがＩＳＯ感度であることを識別するＩＳＯ感度マーク５６が表示され、データ表示部５８、５９にＩＳＯ感度が２００である旨の「２００」が表示され、データ表示部６０にカラーネガである旨の「Ｃｎ」が表示されている。そしてローディングが終了すると、カメラ情報表示に切り替わる。」（第３頁右欄２５〜４０行、段落【００１４】）
（キ）「図８には、同カメラの電源オンオフ状態におけるＬＣＤパネル５１の、カメラ情報表示態様を示している。本実施例では、遠景撮影モードが選択され、撮影済み（または撮影可能な）コマ数が１８、コメント書き込みモード、日付が１９９６年５月２０日であることを表示している。」（第３頁右欄４１〜４６行、段落【００１５】）
（ク）「電源オン状態において、あるスイッチ手段がオンされると、ＬＣＤパネル５１の表示をカメラの諸機能表示から、図７に示したフィルムカートリッジ情報表示に切り替えることができる。」（第４頁７〜１０行、段落【００１７】）
（ケ）「フィルムカートリッジが装填されると、データディスク検出センサー７３Ａ、７３Ｃを介して、フィルムカートリッジの一方の端面に設けられたデータディスク情報と、カートリッジの反対側端面に設けらた未使用、撮影途中、撮影済み、現像済み情報を読み込む。」（第４頁左欄４４〜４８行、段落【００２１】）
（ク）第６図（第６頁）に「カメラのＬＣＤパネルの全表示素子を示す図」として「１つのＬＣＤパネル５１にコマ数表示部５３とデータ表示部５８、５９、６０と、電池消耗マーク６６等を表示するもの」が示されている。
（３）刊行物３：特開平１１−２７６５８３号公報（申立人が提示した甲第３号証）
　刊行物３には「注射器及び注射液充填用カートリッジ」に関して次の事項が記載されている。
（ア）「カートリッジ１には外周部に凹部１ｄが数カ所設けられている。凹部１ｄが形成可能なカートリッジ１の外形に対する位置、間隔はある所定の寸法に定められており、カートリッジ１には４カ所の凹部１ｄが形成可能な位置が用意されている。カートリッジ１の外周部の凹部１ｄの位置、及び数により充填されるべき注射液が定められている。例えば、カートリッジ１の凹部１ｄが形成可能な位置での各凹部１ｄの状態が、凹−なし−凹−凹ならば注射液Ａ、凹−なし−なし−凹ならば注射液Ｂ、と定められている。よって、凹部１ｄの位置、及び数により１６種類のカートリッジ１があり、各々に異なる注射液が充填されている。」（第３頁左欄３７〜４９行、段落【００１２】）
（イ）「スイッチ７は、カートリッジ１の凹部１ｄが形成可能な位置でカートリッジ１に凹部１ｄが無いとオンし、カートリッジ１の凹部１ｄが形成可能な位置でカートリッジ１に凹部１ｄがあるとオフする。これにより、カートリッジ１の脱着、及びカートリッジ種類が検出可能となる。」（第３頁右欄９〜１４行、段落【００１３】）
（ウ）「スイッチ６及びスイッチ７の状態によるカートリッジ１の脱着、及びカートリッジ種類の検出手段は、マイクロプロセッサ等を用いれば容易に実現できる。」（第３頁右欄３１〜３４行、段落【００１４】）
（エ）「表示１３には液晶表示器等を使用する。これにより、カートリッジが取り付けられていない事、取り付けられたカートリッジの種類及び注射液の種類、取り付けられたカートリッジの種類及び注射液の種類が異なる事、長期に渡りカートリッジが取り付けられたままになっている事、カートリッジが取り付けられた直後の指示はもちろん記録されているカートリッジの種類及び注射液の種類、カートリッジが取り付けられた日付、時刻が表示可能となり、投与者が視覚的な確認が可能となる。」（第４頁左欄３７〜４６行、段落【００１８】）
（４）刊行物４：特開平７−５１３５０号公報（申立人が提示した甲第６号証）
　刊行物４には「蒸散装置」に関して次の事項が記載されている。
（ア）「薬液カートリッジ１０２の薬液容器１３１には、図４及び図５に示したように、一方の側面にその上部から４個のデータ凸起Ａ，Ｂ，Ｃ，Ｄ及び１個の装着完了凸起Ｅが同一直線上に設けられており、各凸起Ａ〜Ｅは円錐形に成形されている。そして、図６に示すように、４個のデータ凸起Ａ〜Ｄの有無（凸起あり：０，凸起無し：０）の組み合わせにより、「芳香剤　グリーン系」から「防虫剤　蚊」までの薬液１３２の種類を示す情報が保持されている。」（第３頁右欄１７〜２５行、段落【００１３】）
（イ）「前記ＬＣＤ表示部１３８には、図９に示したように、セグメント１〜セグメント１６が設けられており、セグメント１は「芳香」を、セグメント２は「消臭」を、また、セグメント３は「防虫」を各々表示する。また、セグメント４〜１１は、「グリーン」から「オリエンタル」までの芳香剤の種類を表示し、セグメント１３〜１４は消臭剤の種類を、また、セグメント１５〜１７は防虫剤の種類を各々表示する。」（第４頁左欄１９〜２６行、段落【００１７】）
（ウ）「データＡ〜Ｄの組み合わせからなるデータ構成が《》内に示したものとなり、このデータ構成に対応するセグメントを点灯させる」（第４頁１４〜１６行、段落【００２１】）
（エ）「当該薬液カートリッジ１０２内の薬液１２３が全て消費された時点で警告音が発生し、ユーザーは薬液カートリッジ１０２内の薬液１２３が全て消費されたことを知ることができるのである。」（第７頁左欄４８行〜同頁右欄２行、段落【００４１】）
（５）刊行物５：特開平１０−１６５９４６号公報（申立人が提示した甲第４号証）
　刊行物５には「浄水器」に関して次の事項が記載されている。
（ア）「【請求項１】濾過槽への流入側にあって原水の残留塩素濃度を検出する電気化学的検出手段と、濾過槽からの流出側にあって浄水の残留塩素濃度を検出する電気化学的検出手段とを備えるとともに、各検出手段の電気的出力から原水の残留塩素濃度と浄水の残留塩素濃度とを算出して両濃度差や濃度比に基づいて浄化度を表示手段に表示させる演算手段を備えていることを特徴とする浄水器。」（【特許請求の範囲】）
（イ）「本発明は浄水器、殊に浄水中の残留塩素濃度の表示機能や濾過槽の濾材の交換時期の表示機能を備えている浄水器に関するものである。」（第２頁左欄３５〜３７行、段落【０００１】）
（ウ）「表示部６として図１(b)に示すように、残留塩素濃度を示すためのバーグラフ型の濃度表示部６０と、原水についての濃度表示であるか浄水についての濃度表示であるかを示す種別表示部６１，６１と、カートリッジ型の濾材２０の品名と交換及びその交換準備を促すためのメッセージ表示部６２とを備えたものを用いている。」（第３頁左欄２８〜３４行、段落【００１２】）
（６）刊行物６：特開２０００−３０８８８１号公報（申立人が提示した甲第５号証）
　刊行物６には「浄水器」に関して次の事項が記載されている。
（ア）「図７は本発明の実施の形態における浄水器の積算流量計の帰零に関する概略側面断面図であり、これを用いて以下帰零手段について説明する。ケーシング８は積算流量計３を通った水を吐水する浄水吐水口２０（図４に示す）および一部に表示部７の状態を確認できる表示窓２１を備え、表示窓２１は表示部７を確認できる透明な材料で構成されており」（第６頁左欄２８〜３４行、段落【００２４】）
（イ）「浄水カートリッジ２の交換時期を表示するに当たり、例えば浄水カートリッジ２の寿命を４０００リットルとし通常毎分２リットルの浄水を使用する場合、羽根車５の回転数を毎分７００回転に調整すると、羽根歯車５ａと７枚の歯車６と表示歯車７ａによる減速比を２８０万分の１と構成することで表示部７は浄水カートリッジ２の寿命時までに半周することとなる。そのため表示部７の表面には半周後には寿命表示とそれ以後には過寿命であることを表示するとよい。また浄水カートリッジ２が数種類存在する場合などは、それぞれの浄水カートリッジ２の寿命に応じた複数の表示を表示部７の表面に施すことでよい。」（第６頁右欄２３〜３４行、段落【００２９】）
（ウ）「表示部７の表示は浄水カートリッジ２の交換時期を表示する以外に、水道水中の総トリハロメタン等の化学物質除去率を指定の試験方法で確認した結果の表示や浄水カートリッジ２の交換時期までを複数の段階にて表示してもよい。」（第７頁左欄２５〜２９行、段落【００３３】）
（エ）【図７】（第１２頁）に、表示部７が浄水器本体部の上部に設けられ、透明な表示窓２１で覆われているものが示されている。
３−４．対比・判断
３−４−１．本件発明１について
　刊行物１には、記載事項アに「浄水器本体に着脱自在に取り付けられ、内部に導入された原水を濾過する濾過カートリッジと、該濾過カートリッジの使用開始以後に該濾過カートリッジ内を流れた水の積算流量を算出する積算流量算出手段と、該積算流量算出手段により算出された積算流量と前記濾過カートリッジの基準寿命到達積算流量とを比較する比較手段とを備えた浄水器において、前記濾過カートリッジに設けられ、該濾過カートリッジの寿命到達積算流量を識別可能とする寿命到達積算流量識別部と、該寿命到達積算流量識別部から前記濾過カートリッジの寿命到達積算流量を識別して、そのデータを前記基準寿命到達積算流量として前記比較手段に供給する寿命到達積算流量設定部とを備えてなる浄水器」が記載されている。この記載中の「濾過カートリッジ」に関し、記載事項イ及びケには「異種の濾過カートリッジに交換」すること、記載事項スには「濾過カートリッジに活性炭と中空糸膜を収納した濾過体が備えられる」ことが、また、記載事項ウには「濾過カートリッジには、浄水器本体との接合面に、該浄水器本体に対向して磁性体（寿命到達積算流量識別部）が設けられる」ことが記載されている。また、記載事項クには「積算流量値と、基準寿命到達積算流量とを比較して、積算流量値が基準寿命到達積算流量に達していたときには、信号を表示回路へ送る。表示回路は、寿命比較回路からの信号に基づいて、使用者に対してＬＥＤ表示により濾過カートリッジの交換時期が到来した旨の表示をする」ことが記載されている。
　これらの記載を本件発明１の記載振りに沿って整理すると、刊行物１には、「異種の濾過カートリッジが交換可能な浄水器本体に着脱自在に取り付けられ、内部に活性炭と中空糸膜を収納した濾過体を備えた濾過カートリッジと、該濾過カートリッジの使用開始以後に該濾過カートリッジ内を流れた水の積算流量を算出する積算流量算出手段と、該積算流量算出手段により算出された積算流量と前記濾過カートリッジの基準寿命到達積算流量とを比較する比較手段とを備えた浄水器において、前記濾過カートリッジには浄水器本体との接合面に、該浄水器本体に対向して磁性体（寿命到達積算流量識別部）が設けられ、該寿命到達積算流量識別部から前記濾過カートリッジの寿命到達積算流量を識別して、そのデータを前記基準寿命到達積算流量として前記比較手段に供給する寿命到達積算流量設定部とを備え、積算流量値と基準寿命到達積算流量とを比較して、積算流量値が基準寿命到達積算流量に達していたときには、信号を表示回路へ送り、濾過カートリッジの交換時期を表示する浄水器」の発明（以下、「刊行１発明」という。）が記載されているといえる。
　そこで、本件発明１と刊行１発明を対比すると、刊行１発明の「活性炭と中空糸膜」、「濾過カートリッジ」、「浄水器本体」、「濾過カートリッジの種類を識別する磁性体（寿命到達積算流量識別部）」がそれぞれ、本件発明１の「ろ材」、「ろ過カートリッジ」、「本体部」、「装着したろ過カートリッジの種類を識別する識別部」に相当し、また、刊行１発明の「異種の濾過カートリッジが交換可能」は、実質的に本件発明１の「１つの装着部に対して複数種のろ過カートリッジを装着可能」を意味し、引用１発明の「該濾過カートリッジの使用開始以後に該濾過カートリッジ内を流れた水の積算流量を算出する積算流量算出手段と、該積算流量算出手段により算出された積算流量と前記濾過カートリッジの基準寿命到達積算流量とを比較する比較手段を備え、該寿命到達積算流量識別部から前記濾過カートリッジの寿命到達積算流量を識別して、そのデータを前記基準寿命到達積算流量として前記比較手段に供給する寿命到達積算流量設定部とを備え、積算流量値と基準寿命到達積算流量とを比較して、積算流量値が基準寿命到達積算流量に達していたときには、信号を表示回路へ送り」は、本件発明１の「そのろ過カートリッジ識別部の信号に基づいて演算を行う回路」を意味するものであり、引用１発明の「寿命到達積算流量識別部から前記濾過カートリッジの寿命到達積算流量を識別して、信号を表示回路へ送り、濾過カートリッジの交換時期を表示する」ことは、本件発明１の「回路が発する信号に基づいて装着したろ過カートリッジに合わせたカートリッジ寿命を表示」することに相当することからみて、両者は、「ろ材を備えたろ過カートリッジと、そのろ過カートリッジが装着される本体部とを有し、本体部は１つの装着部に対して複数種のろ濾過カートリッジの交換時期を表示する過カートリッジを装着可能で、かつ、装着したろ過カートリッジの種類を識別するろ過カートリッジ識別部と、そのろ過カートリッジ識別部の信号に基づいて演算を行う回路とを備えていて、該回路が発する信号に基づいて装着したろ過カートリッジに合わせたカートリッジ寿命を表示することを特徴とする浄水器」である点で一致し、以下の点で相違する。
相違点：本件発明１が「浄水通水時に、ろ過カートリッジ識別部の信号に基づいて装着したろ過カートリッジの種類を表示すると同時に、回路が発する信号に基づいて装着したろ過カートリッジに合わせたカートリッジ寿命を表示し、さらに電源交換時期を表示する表示部を備えている」のに対して、刊行１発明では、「濾過カートリッジの交換時期を表示する」点
　そこで、上記相違点について他の証拠に基づいて検討すると、
　刊行物２には、記載事項ア、イ、エ及びクによると「フィルムカートリッジがカメラに装填されるとフィルムカートリッジからフィルムカートリッジ情報を読み込んでその情報をＬＣＤパネルに表示する表示手段を備える」ことや、「フィルムカートリッジ情報は、カートリッジの有無、最大撮影コマ数、フィルムの種類、露光状態、ＩＳＯ感度を含む」ことが記載され、記載事項オ、カ及びクによると「電源オン時にカメラ情報表示からフィルムカートリッジ情報表示に切り換えると、データ表示部でＩＳＯ感度とフィルム種類、コマ数表示部では撮影可能枚数（または撮影済み枚数）を表示する」こと、「ＬＣＤパネルに電池消耗マーク等を表示する」ことが記載されているといえる。しかしながら、刊行物２は、カメラに関する文献であって、本件発明１と技術分野が異なり、用途の違いがある上に、カートリッジ情報とカメラ情報、電池消耗マークを同時に表示する記載はないことから、刊行物２には、「浄水通水時に、ろ過カートリッジ種類を表示し」、それ「と同時に、ろ過カートリッジ寿命を表示し」、「さらに電源交換時期を表示する」という本件発明１の相違点に係る構成について記載されているとはいえない。
　また、刊行物３には、記載事項ア〜エからみて「内部に充填された注射液に応じた形状の注射液充填用カートリッジの種類をスイッチやマイクロプロセッサを用いて検出すること、及び、表示に液晶表示器等を使用してカートリッジの種類や注射液の種類や長期に渡りカートリッジが取り付けられたままになっている事等を表示することにより投与者が視覚的な確認が可能となること」が記載されている。しかしながら、刊行物３は、注射器に関する文献であって、本件発明１の浄水器とは技術分野が異なり、表示する内容が異なる上に、電源の交換時期を表示可能にすることについて何ら記載がない。そうすると、刊行物３にも本件発明１の相違点に係る構成が記載されているとはいえない。
　また、刊行物４には、記載事項ア〜ウからみて「薬液カートリッジの薬液容器の一方の側面に凸起が設けられていて、容器の形状から薬液の種類を示す情報を得、蒸散させる薬剤の種類等の情報をＬＣＤ表示部に表示すること」が記載されている。しかしながら、刊行物４は、芳香剤等の蒸散装置に関する文献であり、本件発明１の浄水器とは技術分野が異なり、また、薬液カートリッジは薬液を全て消費してしまった時点で警告音が発生される（記載事項エ）のであるから、これが、本件発明１のカートリッジの寿命表示と同じとはいえない。してみると、刊行物４に本件発明１の相違点に係る構成について記載があるとはいえない。
　また、刊行物５は、浄水器に関する文献であって、記載事項ア〜ウからみて、「濾材の交換時期（ろ過カートリッジの寿命）を表示させること」が記載されている。しかしながら、刊行物５には「濾過槽に種類の異なるろ過カートリッジを装着して使用すること」について記載がなく、ましてや、「浄水通水時に、ろ過カートリッジ種類を表示すると同時に、ろ過カートリッジ寿命を表示し、さらに電源交換時期を表示する」ことについて全く記載されていない。
　また、刊行物６は、浄水器に関する文献であって、記載事項ア〜エからみて、「数種類の浄水カートリッジを使用する浄水器において積算流量計の測定結果によってそれぞれの浄水カートリッジの寿命に応じた複数の表示を表示部に表示すること、及び、表示部の表示は浄水カートリッジの交換時期を表示する以外に、水道水中の総トリハロメタン等の化学物質除去率を指定の試験方法で確認した結果の表示や浄水カートリッジの交換時期までを複数の段階にて表示すること」が記載されている。しかしながら、刊行物６には「浄水通水時に、ろ過カートリッジ種類を表示する」こと、それ「と同時に、ろ過カートリッジ寿命を表示し、さらに電源交換時期を表示する」ことについて全く記載されていない。
　なお、申立人は回答書で甲第７号証（特開平９−１０５９７７号公報）を提示して「表示部にカートリッジ種類とカートリッジ寿命を同時に表示することは刊行物２や甲第７号証の記載等からみて周知技術にすぎない。」と主張している（第５頁３〜４行）。しかしながら、甲第７号証は刊行物２と同様に「カメラに関する文献」であって、しかも、刊行物１〜６に開示される技術的事項以上のことが開示されているとはいえない。
　以上のとおり、引用例２〜６には、本件発明１の相違点に係る構成が記載されているとはいえず、また、引用例２〜４に種々の情報を表示可能にすることは記載されているとしても、通常情報の表示は用途或いはそこでの課題に応じて適切に行われるものであるから、これら用途の異なる情報表示をもって、本件発明１の浄水器において相違点の構成を容易に採ることができるとまではいえない。
　そして、本件発明１は上記相違点の構成を具備することによって、使用中のろ過カートリッジの種類を容易に確認でき、ろ過カートリッジが寿命に達して交換が必要であることを知ることができ、ろ過カートリッジを適切な時期に交換でき、また、電源が寿命に達し積算流量やカートリッジ種類のデータが消滅するのを未然に防ぐこともできるなど本件明細書に記載の効果を奏するものである。
　してみると、本件発明１は刊行物１〜６に記載された発明に基づいて当業者が容易に発明をすることができたものであるとすることができない。
                           
３−４−２．本件発明２〜６について
　本件発明２〜６は、いずれも、本件発明１を直接的又は間接的に引用し、本件発明１を更に限定するものであるから、上記「３−４−１．本件発明１について」でみたとおりの理由により、本件発明２〜６は、引用文献１〜６に記載された発明に基づいて当業者が容易に発明をすることができたものであるとすることができない。
　　　　　　　　
４．むすび
　以上のとおりであるから、特許異議の申立の理由及び証拠によっては、本件訂正後の請求項１〜６に係る発明についての特許を取り消すことができない。
　また、他に本件訂正後の請求項１〜６に係る発明の特許を取り消すべき理由を発見しない。
　よって、結論のとおり決定する。
【異議決定日】
平成１７年６月２２日（２００５．６．２２）
【訂正の要旨】
審決（決定）の【理由】欄参照。
（５４）【発明の名称】
浄水器
（５７）【特許請求の範囲】
　【請求項１】
　ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別する
ろ過カートリッジ
ろ過カートリッジ
演算を行う回路とを備え、さらに、浄水通水時に、ろ過カートリッジ識別部の信号に基づいて
と同時に、回路が発する信号に基づいて装着したろ過カートリッジに合わせたカートリッジ寿命を表示し、さらに電源交換時期を表示する
部を
　【請求項
２
　
前記表示部は、
、前記ろ過カートリッジ交換表示素子は複数個のブロックからなり、その複数個のブロックからなるろ過カートリッジ交換表示素子を段階的に消灯あるいは点灯させることでろ過カートリッジの交換時期を表示する、
１
　【請求項
３
　液晶表示器は、本体部の上部に設けられている、請求項
２
　【請求項
４
　ろ過カートリッジは種類識別のための印を備え、本体部に設けられた
ろ過カートリッジ
３
　【請求項
５
　印は、ろ過カートリッジの外壁に形成された突起および／または凹みである、請求項
４
　【請求項
６
　ろ過カートリッジは種類識別のための磁石を備え、本体部は
ろ過カートリッジ
４
【発明の詳細な説明】
　【発明の属する技術分野】
　本発明は、ろ過カ−トリッジを装着して水の浄化を行う浄水器に関する。
　【従来の技術】
　従来、ろ過カ−トリッジを装着して水の浄化を行う浄水器としては、専用のろ過カ−トリッジがひとつ決められ、それを繰り返し交換して使用するものが多く知られている。これらの浄水器は、ホルダーや流路切換弁などの本体部が専用のろ過カ−トリッジに合わせて設計されており、例えばカ−トリッジの交換時期を表示するための制御プログラムも、ひとつのカ−トリッジを前提に決められている。
　近年、トリハロメタンなど特定物質の除去率が高い浄水器が開発され市販されているが、これも特定物質の除去率が高いカ−トリッジに合わせて本体部が設計されている。
　もちろん、外形寸法の同じカ−トリッジに異なるろ過材料を装填し、除去対象物質の異なる同形状のカ−トリッジを作ることは可能だが、カ−トリッジを浄水器本体部の内部に装着する内蔵型で使用すると、カ−トリッジが外部から見えないため、いずれのカ−トリッジを装着したのか判らないという問題点がある。カ−トリッジの外表面にカ−トリッジの種類が印刷されていたとしても、カ−トリッジの装着を見ていなかった使用者は、わざわざ浄水器内部からカ−トリッジを取り出して種類を確認しなければならない。
　また、外形寸法の同じカ−トリッジに異なるろ過材料を装填し、除去対象物質の異なる同形状のカ−トリッジを作れば、必然的にろ過能力は異なる。したがって、ひとつの浄水器に複数の能力の異なるろ過カ−トリッジが装着でき、かつ、カ−トリッジの交換時期を表示するための制御プログラムを備えている浄水器であっも、交換時期の算出方法によっては適切にカートリッジの交換時期が表示されないことになる。よって、どの種類のカ−トリッジを装着したか、そのろ過能力はどの程度かを記憶しておかなければならないが、長期間、カ−トリッジの種類と能力と使用開始時期を記憶し続けるのは難しく、まだろ過能力が残っているにもかかわらずカ−トリッジを交換してしまったり、ろ過能力が残っていないのに使用し続けるという不具合が生じやすい。
　【発明が解決しようとする課題】
　本発明の課題は、上述のような問題点に鑑み、使用中のカ−トリッジの種類を容易に確認でき、カ−トリッジを適切な時期に交換できる浄水器を提供することである。
　
【課題を解決するための手段】
　上記課題を達成するために本発明は、ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別する
ろ過カートリッジ
ろ過カートリッジ
演算を行う回路とを備え、さらに、浄水通水時に、ろ過カートリッジ識別部の信号に基づいて
と同時に、回路が発する信号に基づいて装着したろ過カートリッジに合わせたカートリッジ寿命を表示し、さらに電源交換時期を表示する
部を
　ここで、
前記表示部は、
、前記
　さらに、ろ過カ−トリッジは種類識別のための印を備え、本体部に設けられた識別部がろ過カートリッジに設けられた印を識別すること、そして、印は、ろ過カ−トリッジの外壁に形成された突起および／または凹みであることが好ましい。また、また、ろ過カートリッジは種類識別のための磁石を備え、本体部は識別部として磁気スイッチを備えていることが好ましい。
　【発明の実施の形態】
　以下に、本発明の望ましい実施の形態を、家庭のキッチンなどの蛇口に取り付けられる浄水器を例にとり、図を参照しながら説明する。
　本発明の浄水器は、図１〜図６に示すように、その内部に切換弁を内蔵した本体部２と、ろ材を収納したろ過カ−トリッジ３などから構成されている。本体部２にはレバ−５が設けられ、レバ−５を操作することにより、蛇口４から原水流入口を通って流入した原水をそのままシャワ−水として吐出するか（原水シャワ−）、そのままストレ−ト水として吐出するか（原水ストレ−ト）、ろ過カ−トリッジ３に供給するか、を選択して切り換える。ろ過カ−トリッジ３に供給された原水は、活性炭などの吸着剤や中空糸膜等によってろ過され、浄水流出口から浄水として吐出される。
　まず、本体部２について説明する。
　本体部２は、図４、図５に示すように、切換弁を構成する３個のボ−ル１１ａ、１１ｂ、１１ｃと弁軸１２とを備えた切換弁本体１３、原水シャワ−口１４と、原水ストレ−ト口１５と、浄水流出口１９とを備えた下部ボディ１６、切換弁本体１３が上面に突出する開口部を備えた上部ボディ１７、切換操作を行う弁操作部１８、ろ過カ−トリッジ３を固定するカ−トリッジキャップ９１、流量を積算して、その結果を表示する電装部などから構成されている。
　切換弁本体１３には、リング状のパッキン３６が装着され、蛇口４のおねじ部にねじ込んだアダプタ３７を介して、取付ナット３８を切換弁本体１３に螺合させ、本体部２を蛇口４に取り付けるようになっている。
　切換弁本体１３の内部は、３個の通水路２１ａ、２１ｂ、２１ｃを開設した区画板２２によって、上部室２３と下部室２４とに区画されている。
　上部室２３には、３個のボ−ル１１ａ、１１ｂ、１１ｃが、３個の通水路２１ａ、２１ｂ、２１ｃに対応するように配置されている。ボ−ル１１ａが通水路２１ａにはまり通水路２１ａが閉じた状態で、ボ−ル１１ａの下部が下部室２４に突出するようになっている。ボ−ル１１ｂ、１１ｃについても同様である。
　円筒状の下部室２４には、弁軸１２が回動可能に挿着され、かつ、弁軸１２の所定位置に配設したＯリング２５ａ、２５ｂ、２５ｃが、下部室２４の内壁面と水密的に係合している。これによって下部室２４は３つに区画され、通水路２１ａからろ過カ−トリッジ３に原水を供給する原水供給口２６（図６参照）へ通じる流路３１ａと、通水路２１ｂから原水ストレ−ト口１５へ通じる流路３１ｂと、通水路２１ｃから原水シャワ−口１４へ通じる流路３１ｃとを形成している。
　また、図４に示したように、弁軸１２には、通水路２１ａ、２１ｂ、２１ｃに対向する位置に、カム部２７ａ、２７ｂ、２７ｃが設けられている。これらカム部２７ａ、２７ｂ、２７ｃは、弁軸１２の周方向に例えば６０°ずつずらして設けられており、弁軸１２を６０°ずつ回動することにより選択的に上方を向き、下部室２４に突出したボ−ルの下部を押し上げて通水路を開くことができるようになっている。すなわち、後述の弁操作部１８により弁軸１２を所定角度回動することで、通水路２１ａ、２１ｂ、２１ｃのいずれかを開放し、水道蛇口６から流入した原水をそのままシャワ−水として吐出するか、そのままストレ−ト水として吐出するか、ろ過カ−トリッジ３に供給するか、を選択できる。
　ボ−ル１１ａ、１１ｂ、１１ｃには、芯体としての金属球にゴムを覆ったものを用いているが、弁体の形状は球体に限らず円錐形でも円筒形でもよく、傘形でもよい。そして、通水路を閉塞したときのシ−ル性を向上させるためは、上部室２３に設けたボ−ル１１ａ、１１ｂ、１１ｃをバネ等で上方から通水路方向に付勢してもよい。
　図６、図１０に示すように、切換弁本体１３の側部後方には、ろ過カ−トリッジ３に原水を供給する原水供給口２６と、ろ過カ−トリッジ３から浄水を受け入れる浄水受入口２９とが設けられている。原水供給口２６は流路３１ａに連通しており、浄水受入口２９は浄水送水路３０を介して浄水流出口１９と連通している。浄水送水路３０には、後述する流量検出部１０２の水車１２２と水車支持部材１２３が備えられ、浄水の通水により水車１２２が回転するようになっている。
　次に、ろ過カ−トリッジ３について簡単に説明する。
　ろ過カ−トリッジ３は、図７の横断面図に示すように、容器６１の底部に、原水供給口２６から原水を受け入れる原水受入口６２と、浄水受入口２９に浄水を供給する浄水供給口６３が設けられている。原水受入口６２と浄水供給口６３には、それぞれＯリング７３、７４が設けられ、原水供給口２６と浄水受入口２９に接続した際に外部に水が漏れるのを防止している。
　容器６１の内部底面には円筒状突起６１ａが形成されており、円筒状突起６１ａに、中空糸膜モジュ−ルの円筒体６４の下端がＯリング６５を介して嵌入立設されている。そして、この円筒体６４の外周上下部には、円筒体６４外周面と容器６１の内壁面との間を通過する原水の処理を行う吸着剤層７０を保持するために、リング状のフィルタ６６、６７が固定されている。
　円筒体６４の内部には、複数本の中空糸膜を束ねて逆Ｕ字状に折り曲げた中空糸膜束６８が収納されている。中空糸膜の両端部は、円筒体６４の下部にて各中空糸間および中空糸と円筒体６４との間に充填される硬化性樹脂６９（封止剤）により封止固定（ポッティング）されている。各中空糸膜は、容器６１へ嵌入する前にポッティング部が一部切断除去されているので、末端が浄水供給口６３に向かって開口している。
　そして、円筒体６４の外周面と容器６１の内壁面との間には、活性炭、ゼオライト、イオン交換樹脂、キレ−ト樹脂などからなる吸着剤層７０が配備されている。
　容器６１の上部は、中空糸膜束６８と吸着剤が容易に充填できるよう開口されており、内部の汚れを確認できるように透明キャップ７１が嵌入され、超音波溶着されている。
　上述のように構成されたろ過カ−トリッジ３は、図６に示したように、本体部２内に装填され、カ−トリッジキャップ９１が、ろ過カ−トリッジ３に覆い被さる位置で下部ボディ１６と上部ボディ１７とにネジ締付固定され、ろ過カ−トリッジ３を所定位置に固定する役目を果たしている。カ−トリッジキャップ９１には、開閉キャップ９２が開閉可能に設けられており、開閉キャップ９２を開くと、カ−トリッジキャップの開口部９３およびろ過部の透明キャップ７１を通じて、中空糸膜の汚れ具合を確認できるようになっている。
　続いて、図３、図６を用いて、弁軸１２を回動操作する弁操作部１８について説明する。
　弁操作部１８は、図６に示すように、レバ−５と、切換弁本体１３に回動可能に支持され、レバ−５と同じ軸回りに回動する駆動軸４１と、一端が下部ボディ１６に固定され他端がレバ−５に固定されたねじりコイルバネ４４などから構成されている。レバー５は、図３に示すように矢印Ａ方向に押し下げると、操作ストッパ−４３に当接するまで反時計方向に（図６を右側面から見た場合）回動し、レバ−５が操作ストッパ−４３に当接した状態で操作をやめて指を離すと、ねじりコイルばね４４により時計方向に回動し、初期位置に戻るようになっている。
　図８は、図６におけるＣ−Ｃ矢視概略断面図であって、レバ−５と駆動軸４１の接続部を示している。図７に示すように、駆動軸４１の一端に嵌入されたラチェット爪部材４７は、レバ−５のラチェット歯４８と噛み合ってラチェット機構を構成している。レバ−５を初期位置から反時計方向（図６を右側面から見た場合）に回動させるときには、駆動軸４１はレバ−５と一体となって反時計方向に４０°回動し、レバ−５が時計方向に回動して初期位置に戻るときには、駆動軸４１は回動しないようになっている。
　図６と、図６におけるＤ−Ｄ矢視概略断面図である図９に示すように、駆動軸４１には平歯車４５が設けられ、弁軸１２に設けられた平歯車４６と噛み合っている。平歯車４５と４６のギヤ比は３：２であるので、平歯車４５が４０°回動すると平歯車４６は６０°回動する。すなわち、レバ−５を１回操作すると、駆動軸４１は４０°回動し、弁軸１２は６０°回動する。ここで、平歯車をはすば歯車ややまば歯車などにしても何ら問題はない。また、ギヤ比は３：２としたが、これに限らず２：１でも３：１でもよい。平歯車４５の歯数を平歯車４６の歯数より大きくすると、駆動軸４１の回動角度に対し弁軸１２の回動角度は大きくなる。すなわちレバ−５の操作角度を小さくしても、弁軸１２の回動角度を十分に大きくすることができる。以上のように、歯車を用いるとギヤ比を選択することで容易にレバ−操作角度を設定でき、しかも確実かつ正確に流路切換ができる。
　そして、駆動軸４１には、図５に示すように、切換状態を示す「浄水」「ストレ−ト」「シャワ−」の文字が４０°毎に各３ヶ所印刷された表示リング５１が固定されている。表示ロ−ル５１に印刷された「浄水」「ストレ−ト」「シャワ−」いずれかの文字が、上部ボディ１７の開口部８１から見えるようになっていて、切換状態が容易に確認できる。なお、切換状態を示す表示は、文字、イラスト単独でも、また、それらの組合せでもよい。そして、開口部８１に透明部材８２を取り付けることで、食器洗いのときなどに水が本体部２の内部に入るのを防いだり、表示リング５１が汚れるのを防いだりしている。
　次に、流量を積算して、その結果を表示する電装部について説明する。
　図６、図１０に示したように、電装部は、電源部１０１と、流量検出部１０２と、ろ過カ−トリッジ識別部１０３と、制御部１０４と、液晶表示器１０５などから構成されている。
　電源部１０１は、図１１の分解斜視図に示すように、主に、本体部２に設けた電池ホルダ１１５と、コイン形二酸化マンガンリチウム電池１１１（以下、電池１１１）と、陽極金具１１３および陰極金具１１４と、電池を水密に固定する脱着自在な電池カバ−１１２などから構成される。
　電池カバ−１１２は、筒状の電池装着部１１６を有するとともにその外周にＯリング１１７を有し、電池カバ−１１２がバヨネット機構により電池ホルダ１１５に装着したときに電池装着部１１６に水が浸入するのを防ぐようになっている。筒状の電池装着部１１６には切り欠き１１８が設けられているので、指を引っかけて容易に電池を取り外すことができる。また、電池カバ−１１２の表面には、硬貨を挿入して回すための凹部１１９が設けられ、その周囲に、電池の規格と開閉のための回転方向を示す文字やイラストが刻印されている。したがって、使用者は、電池の規格と電池カバ−１１２の回転方向を確認した上で、コインを使って電池カバ−１１２を電池ホルダ１１５から取り外し、電池を交換することができる。
　電池ホルダ１１５内に設けられた陽極金具１１３および陰極金具１１４は、それぞれリ−ド線で図６に示す制御部１０４に結線されており、電池１１１による電力が制御部１０４に供給される。リ−ド線は、ゴムキャップ１２０を介して電池ホルダ１１５に固定されていて、このゴムキャップ１２０が、水がリ−ド線をつたって陽極金具１１３、陰極金具１１４さらには電池装着部１１６に水が浸入するのを防止している。
　電池は、一次電池でも二次電池であってもよく、比較的高い電圧で、長期間安定して電力を供給できる二酸化マンガンリチウム電池などのリチウム電池のほか、アルカリ乾電池、マンガン乾電池、酸化銀電池、空気亜鉛電池などでもよい。また、形状は、軽量で大きな設置スペ−スを必要としないボタン形、コイン形などの小型電池が好ましい。小型電池の場合、本体部が著しく大型化したり著しく重量増加することはなく、また、大幅なコストアップにもならない。
　流量検出部１０２は、図１０および図１２〜図１４に示すように、主に、磁石１２１を埋設した水車１２２と、水車１２２を回転可能に支持する水車支持部材１２３と、磁石の回転に応じて開閉する磁気スイッチ１２４と、磁気スイッチ１２４を支持固定する磁気スイッチホルダ１２５とから構成されている。
　水車１２２は、円柱形の軸部１３１に２枚の羽根１３２、１３３が形成されてなり、軸部１３１の一端には水車支持部材１２３の軸１２６が挿入される回転軸穴１３４が設けられ、他端には、磁石１２１が装着される磁石取付穴１３５が設けられている。
　磁石１２１は、そのＮ極・Ｓ極を結ぶ直線と、水車１２２の回転軸が垂直になるように磁石取付穴１３５に挿入し、脱落を防止するとともに接水による発錆を防止するために、磁石取付穴１３５の開口部に栓部材を被せ接着したり溶着する。磁石１２１の脱落および発錆を防止するためには、磁石１２１を磁石取付穴１３５に挿入した後、磁石取付穴１３５の開口部を硬化性樹脂１３６（封止材）で封止することも好ましい。硬化性樹脂としては、より安全性の高いポリウレタン樹脂が好ましいが、エポキシ樹脂や、その他の封止材や接着剤を用いてもよい。磁石１２１の錆を防止するためには、磁石そのものをコ−ティングすることも好ましい。また、磁石１２１には、磁力が強い希土類磁石のほか、フェライト磁石などを使用してもよい。
　水車１２２は、図１０に示すように、浄水送水路３０内で回転可能なように、水車支持部材１２３によって下流側から軸支されている。水車１２２は、その回転軸が浄水の送水方向に平行な軸流型であっても直交するものであってもよい。また、水車の羽根は２枚としているが、１枚でもよく、３枚以上でもよい。さらに、水車を、ろ過カ−トリッジ３の下流側の浄水送水路３０に設けたが、上流側に設けてもよい。この場合は、水車１２２にゴミ等が引っかからないよう、さらに上流側にプレフィルタを設けることが好ましい。
　磁気スイッチ１２４は、図１４に示すように、磁気スイッチホルダ１２５に挿入され、硬化性樹脂１３７（封止材）により封止固定されている。磁気スイッチ１２４の２つの端子はリ−ド線により図１０に示す制御部１０４と結線されており、磁気スイッチ１２４の開閉によるパルス信号が制御部１０４に伝達される。磁気スイッチ１２４を収容した磁気スイッチホルダ１２５は、図６に示すように、浄水送水路３０の外周に接し、かつ、水車１２２の近傍に固定されている。
　このように構成された流量検出部１０２は、浄水が流れることにより水車１２２が回転し、水車１２２に埋設された磁石１２１が回転し、それに応じて磁界が変化する。磁石１２１が１回転することにより磁気スイッチ１２４は２回開閉して、その結果、２周期分のパルス信号が発信され、制御部１０４に伝達される。
　次に、制御部１０４と液晶表示器１０５について、図６、図１６を用いて説明する。
　制御部１０４は、主に、ＣＰＵが設けられた回路基板１５１と、回路基板１５１を収納する透明の基板ホルダ１５２と、回路基板１５１を基板ホルダ１５２に支持固定する基板枠１５３とから構成されている。ＣＰＵは、電源部１０１から電力供給を受け、流量検出部１０２からのパルス信号と、ろ過カ−トリッジ識別部１０３からの信号に基づいて演算を行い、液晶表示器１０５に出力信号を送るようになっている。回路基板１５１には、リセットボタン１５４が設けられ、外部からの操作でリセットボタン１５４を押して積算流量のデ−タ等をリセットできるようになっている。そして、リセットボタン１５４の上方に回路基板１５１への水の浸入を防ぐスイッチゴム１５６を配置し、そのスイッチゴム１５６によって、リセットボタンを間接的に操作することが好ましい。
　液晶表示器１０５は、回路基板１５１に直接、支持固定された状態で、本体部２の前面上方に位置し、使用者が使用中に見やすいようになっている。この液晶表示器１０５は、回路基板から離れた位置に配置しリ−ド線等で結線することも可能だが、回路基板１５１に直接、支持固定したほうが信号を確実に伝達できる。また、外部から水が浸入して回路基板１５１が誤作動するのを防止するため、基板ホルダ１５２に、その開口部から回路基板１５１と液晶表示器１０５とを挿入し基板枠１５３で固定した状態で、開口部を硬化性樹脂１５５（封止材）で封止して防水加工をすることが好ましい。このように防水加工を施すことにより、各部品に対して個別に防水加工を施す必要がなく、製造工程の簡略化、製造コストの低減が可能になる。硬化性樹脂１５５としては、２液混合型のポリウレタン樹脂やエポキシ樹脂などを用いればよい。
　液晶表示器１０５には、図１７に示すように、枠１６７とその中に設けられた３個のブロックＡ、Ｂ、Ｃからなるろ過カ−トリッジ交換表示素子１６１と、電池交換表示素子１６２と、カ−トリッジ種類表示素子１６３とが設けられており、それらが点灯、消灯、点滅することで、カ−トリッジの寿命、電池の寿命、カ−トリッジの種類を表示する。これらろ過カートリッジ交換表示素子１６１、電池交換表示素子１６２、カートリッジ種類表示素子１６３は、個々に独立して設けてもよいが、本実施態様のように１つの液晶表示器１０５にまとめて設けることにより、省スペース化を図ることができ、また、使用者が一目で多数の情報を読み取ることができるので好ましい。
　次に、図１０中のろ過カ−トリッジ識別部１０３について、図１５の概略縦断面図を用いて説明する。
　ろ過カ−トリッジ識別部１０３は、主に、導電電材１４２を密着させたゴムスイッチ１４３と、導電部材１４２との２つの接点を有する識別基板１４１と、それらを収納する識別部ハウジング１４４とから構成されている。
　識別基板１４１の２つの接点は、リ−ド線により制御部１０４と結線されており、２つの接点の開閉が制御部１０４に伝達されるようになっている。
　ゴムスイッチ１４３は、識別基板１４１と重ねるようにして識別部ハウジング１４４に収納されている。ろ過カ−トリッジ３の底部に設けた突起７２（印）により、スイッチ操作穴１４５を通してゴムスイッチ１４３を押すと、導電部材１４２が識別基板１４１の２つの接点に接触し、回路が閉じ電流が流れるようになっている。ろ過カ−トリッジを取り外したことにより突起７２が離れると、弾性によりゴムスイッチ１４３が初期状態に戻り、接点が開く。ろ過カ−トリッジの底部に突起が設けられていない場合は、接点が開いたままである。すなわち、この接点の開閉信号により、底部に突起を設けたろ過カ−トリッジと、突起を設けていないカ−トリッジとを識別することができる。ゴムスイッチ１４３は、スイッチ操作穴１４５から識別基板１４１側に水が浸入するのを防ぐ役目も果たしている。
　なお、印および識別部としては、突起の変わりに底部に凹みを設けたカ−トリッジと凹みを設けないカ−トリッジとを識別する機構を採用してもよい。また、スイッチ操作穴、ゴムスイッチおよび識別基板を複数個設け、３種類以上のカ−トリッジの識別を可能にしてもよい。さらに、突起とゴムスイッチの替わりに、バ−コ−ドとバ−コ−ドリ−ダの組み合わせや、磁石と磁気スイッチの組み合わせを用いてもよい。
　続いて、以上のように構成された浄水器１の作用について説明する。
　図４は、原水が原水シャワ−口１４から吐出される状態を示している。蛇口を開くと、原水は、原水流入口２８から流入し、水流緩和部材３９でその勢いが緩和された後、カム部２７ｃがボ−ル１１ｃを押し上げて開放している通水路２１ｃを通過して、原水シャワ−口１４から吐出される。このとき、開口部８１からは表示リング５１に記された「シャワ−」の文字が見える。
　ここで、図１に示すレバ−５を操作して、操作ストッパ−４３に当たるまで回動させると、図８に示すラチェット機構を介してレバ−５に接続されている駆動軸４１が４０°回動する。同時に平歯車４５から４６へ回動が伝達され、弁軸１２が正確に６０°回動する。すると、弁軸１２のカム２７ｃに替わりカム２７ｂが上方を向き、通水路２１ｃが閉じて通水路２１ｂが開く。その結果、原水は通水路２１ｃを通過して原水ストレ−ト口１５から吐出される。このとき、開口部８１からは表示リング５１に記された「ストレ−ト」の文字が見える。
　次に、レバ−５から指を離すと、ねじりコイルばね４４によりレバ−５は逆方向に回動し、初期位置に戻って停止する。このとき、ラチェット機構を介して接続された駆動軸４１は回動せず、弁軸１２も表示リング５１も回動しない。
　レバ−５をもう一度押し下げると、同様に弁軸１２が正確に６０°回動し、通水路２１ｂが閉じて、通水路２１ａが開く。この結果、原水は通水路２１ａを通過して、原水供給口２６に流れる。そして、図７に示す原水受入口６２からろ過カ−トリッジ３に流入し、活性炭などの吸着剤と中空糸膜によってろ過される。ろ過された水は、浄水供給口６３から浄水受入口２９に流れ、浄水送水路３０を通過して浄水流出口１９から吐出される。（図１０参照）このとき、開口部８１からは表示リング５１に記された「浄水」の文字が見え、また、浄水送水路３０に流れる浄水により水車１２２が回転し、流量検出部１０２によって制御部１０４にパルス信号が送られ、そのパルス信号の周期が浄水の流量として積算される。
　そして、この浄水の積算流量に応じて、ろ過カ−トリッジの残存寿命が液晶表示器１０５のろ過カ−トリッジ交換表示素子１６１に表示される。すなわち、ろ過カ−トリッジ交換表示素子１６１は、図１７に示すように、ろ過カ−トリッジ使用開始時に枠１６７とブロックＡ、Ｂ、Ｃの全てが点灯しているが、浄水の積算流量に対応するパルスの積算カウント数が予め設定した第１の設定値に達したら、ブロックＡ１６４が消灯し、さらに第２の設定値に達したら、ブロックＢ１６５が消灯する。さらに、ろ過カ−トリッジを交換しなければならない積算流量に近づいたら（第３の設定値）、ブロックＣ１６６が消灯するとともに枠１６７が点滅し、ろ過カ−トリッジの交換を使用者に促す。使用者が、新しいろ過カ−トリッジに交換してリセットボタン１５４を押せば、積算カウント数がゼロに戻り、ろ過カ−トリッジ交換表示素子１６１も初期表示に戻る。
　前述したろ過カ−トリッジ交換表示に関する第１〜３の設定値は、高除去カ−トリッジ用と標準カ−トリッジ用にそれぞれ記憶されており、ろ過カ−トリッジを交換する度に、ろ過カ−トリッジ識別部１０３からの信号に基づいて自動的に選択され、カ−トリッジの種類に合わせたカ−トリッジ残存寿命表示がされるので、使用者は、使用しているカ−トリッジの種類とろ過能力と使用開始時期をわざわざ記憶しておかなくても適切な時期にろ過カ−トリッジの交換を行える。
　また、液晶表示器１０５は、カ−トリッジ種類表示素子１６３が、ろ過カ−トリッジ識別部１０３からの信号に基づいて点灯、消灯することにより、装着しているカ−トリッジの種類を表示する。たとえば、底部に突起を設けた有機物の除去率が高いカ−トリッジ（以下、高除去カ−トリッジ）を装着した場合には点灯し、底部に突起が無い標準カ−トリッジを装着した場合には消灯する。この表示により、使用者は、カ−トリッジが外部から見えなくても、使用しているカ−トリッジの種類を容易に確認できる。
　また、液晶表示器１０５は、電池の電圧が予め設定した値以下に低下した時点で電池交換表示素子１６２を点滅し、使用者に電池（電源）の交換を促すようになっている。したがって、使用者は電池の使用開始時期と説明書等に記載されている電池寿命をわざわざ記憶しておく必要がない。そのため、電池寿命を忘れたために電池の交換ができずろ過カ−トリッジ使用中に積算流量のデ−タが消滅してしまうこともなく、適切な時期に電池交換が行える。使用者が新しい電池に交換すれば電池交換表示素子１６２は自動的に消灯するようになっている。なお、消費電力が使用状況に関わらずほぼ一定である場合ば、浄水の積算流量や、浄水の通水時間の積算値や、浄水を通水していない時間の積算値などから、消灯から点灯に変わるタイミングを決めても差し支えない。なお、電池交換表示素子１６２は、電池使用開始時には消灯し、電池の寿命に近づいたときに点滅するというように構成しているが、前述のろ過カ−トリッジ交換表示と同様に段階的に表示してもよい。
　さらに、この液晶表示器１０５は、ろ過カ−トリッジ３を使用しない場合には消灯する。すなわち、回路基板１５１のＣＰＵが、浄水の通水が停止して流量検出部１０２からのパルス信号が停止した（磁気スイッチ１２４が開または閉の状態が一定時間以上続いた）ことを検知してスリ−プモ−ドに切り替わり、液晶表示器１０５を消灯する。この切り替えによって電池の電力消費が大幅に抑えられ、電池を長期間使用できる。なお、電池交換直後とリセットボタン操作直後には一定時間だけスリ−プモ−ドを解除し、液晶表示器１０５を点灯させる。これは、使用者が、正しく電池を装着できたことや、正しくデ−タをリセットできたことを確認するためである。
　本発明は以下のように変形実施することができる。
　（１）前述の実施態様において、ろ過カ−トリッジ交換表示素子１６１はブロックを段階的に消灯させる方式としたが、段階的に点灯させる方式でもよい。また、積算流量を数値で表示する方式でも、さらには減算式、加算式いずれでもよい。
　（２）前述の実施態様では表示部に液晶表示器１０５を用いたが、ブザ−やスピ−カ−を設けて発信音や音声を同時に発すれば、使用者はさらにわかりやすくなる。
　（３）前述の実施態様では、制御部１０４にリセットボタン１５４を設けて手動でリセットするように構成したが、ろ過カ−トリッジ識別部１０３と同様、ろ過カ−トリッジ３の装着部近傍にリセットボタンを設け、ろ過カ−トリッジ３の脱着を検知してリセットを行う方式でもよい。
　（４）前述の実施態様では、ろ過カ−トリッジ識別部１０３によりろ過カ−トリッジの種類を識別したが、ろ過カ−トリッジの種類を手動で入力する入力ボタンを設けてもよい。また、リセットボタンを一定時間以上押し続けることでカ−トリッジの種類を入力するもの、すなわち入力ボタンとリセットボタンを兼用したものにすれば製造コストが抑えられる。
　（５）前述の実施態様では、電池カバ−１１２を電池ホルダ１１５にバヨネット機構により装着するとしたが、ネジ締結機構でも、スライド機構でもよい。
　（６）前述の実施態様では磁気スイッチ１２４を用いて流量を検出したが、減速歯車機構と電気的接点を用いる方法や、ダイヤフラムなど通水によって変形する部材と電気的接点を用いる方法などを採用してもよい。
　（７）前述の実施形態ではラチェット機構を用い、レバ−５の上下動で切換操作を行ったが、レバ−の停止位置に応じて切換状態が換わる方式でもよい。
　（８）前述の実施形態では弁体にボ−ルを用いた切換弁としたが、ゴムパッキンやＯリングを装着した回動軸で流路の開閉を行う切換弁でもよい。
　（９）前述の実施形態は蛇口に支持固定する浄水器だが、ろ過カ−トリッジをシンク付近に置く据置型浄水器や、シンクの下にろ過カ−トリッジを置くアンダ−シンク型浄水器や、蛇口に接続せずに使用するピッチャ−型浄水器として実施することもできる。また、アルカリイオン整水器やミネラル生成器として実施することもできる。さらに、蛇口直結型の場合、切換器などを備えた本体部の内部にろ過カートリッジを収納する形式に構成したり、ろ過カートリッジを露出させるように装着する形式に構成してもよい。
　
【発明の効果】
　本発明の浄水器は、ろ材を備えたろ過カートリッジと、そのろ過カートリッジが装着される本体部とを有し、本体部は１つの装着部に対して複数種のろ過カートリッジを装着可能で、かつ、装着したろ過カートリッジの種類を識別する
ろ過カートリッジ
ろ過カートリッジ
演算を行う回路とを備え、さらに、浄水通水時に、ろ過カートリッジ識別部の信号に基づいて
と同時に、回路が発する信号に基づいて装着したろ過カートリッジに合わせたカートリッジ寿命を表示し、さらに電源交換時期を表示する
部を
そして、
、
も
　そして、ろ過カ−トリッジに種類を表す印を設け、本体部に印を識別する識別部を設ける場合、ろ過カ−トリッジの種類を自動的に識別して表示部に表示できるので、浄水カ−トリッジの外表面に印刷された種類表示等を確認しなくてもカ−トリッジの種類がわかる。ここで、印をろ過カ−トリッジの外壁と一体的に設ければ、印を設けるためにろ過カ−トリッジの製造コストが大幅にアップすることはない。
　また、水道水が蛇口から直接流入可能なように蛇口直結型浄水器とすると、シンク近傍にろ過カ−トリッジを設置する据え置き型に比べ小型で邪魔にならない。しかも、蛇口に直結した浄水器に表示部が設けられているので、使用者は容易に表示を見ることができ、表示に促されてろ過カ−トリッジや電源を適切な時期に交換できる。
【図面の簡単な説明】
　【図１】
　本発明の一実施態様を示す浄水器の正面図である。
　【図２】
　図１に示す浄水器の上面図である。
　【図３】
　図１に示す浄水器の右側面図である。
　【図４】
　図２に示す浄水器のＡ−Ａ縦断面図である。
　【図５】
　図２に示す浄水器のＢ−Ｂ縦断面図である。
　【図６】
　図１に示す浄水器の横断面図である。
　【図７】
　ろ過カ−トリッジの横断面図である。
　【図８】
　図５に示す浄水器におけるレバ−と駆動軸との接続部のＣ−Ｃ矢視断面図である。
　【図９】
　図６に示す浄水器のＤ−Ｄ矢視断面図である。
　【図１０】
　図４に示す浄水器のＥ−Ｅ矢視断面図である。
　【図１１】
　電源部の分解斜視図である。
　【図１２】
　流量計測部の分解斜視図である。
　【図１３】
　図１２における水車と水車支持部材の断面図である。
　【図１４】
　図１２における磁気スイッチと磁気スイッチホルダの断面図である。
　【図１５】
　ろ過カ−トリッジ識別部の縦断面図である。
　【図１６】
　図６に示す浄水器における制御部のＦ−Ｆ矢視断面図である。
　【図１７】
　液晶表示器の概略図である。
　【符号の説明】
　１：浄水器　２：本体部
　３：ろ過カ−トリッジ　４：蛇口
　５：レバ−　１１ａ：ボール
　１１ｂ：ボール　１１ｃ：ボール
　１２：弁軸　１３：切換弁本体
　１４：原水シャワー口　１５：原水ストレート口
　１６：下部ボディ　１７：上部ボディ
　１８：弁操作部　１９：浄水流出口
　２１ａ：通水路　２１ｂ：通水路
　２１ｃ：通水路　２２：区画板
　２３：上部室　２４：下部室
　２５ａ：ｏリング　２５ｂ：ｏリング
　２５ｃ：ｏリング　２６：原水供給口
　２７ａ：カム部　２７ｂ：カム部
　２７ｃ：カム部　２８：原水流入口
　２９：浄水受入口　３０：浄水送水路
　３１ａ：流路　３１ｂ：流路
　３１ｃ：流路　３６：パッキン
　３７：アダプタ　３８：取付ナット
　３９：水流緩和部材　４１：駆動軸
　４３：操作ストッパー　４４：ねじりコイルばね
　４５：平歯車　４６：平歯車
　４７：ラチェット爪部材　４８：ラチェット歯
　５１：表示リング　６１：容器
　６１ａ：円筒状突起　６２：原水受入口
　６３：浄水供給口　６４：円筒体
　６５：ｏリング　６６：フィルタ
　６７：フィルタ　６８：中空糸膜束
　６９：硬化性樹脂　７０：吸着剤層
　７１：透明キャップ　７２：突起
　７３：ｏリング　７４：ｏリング
　８１：開口部　８２：透明部材
　９１：カ−トリッジキャップ　９２：開閉キャップ
　９３：開口部　１０１：電源部
　１０２：流量検出部　１０３：ろ過カ−トリッジ識別部
　１０４：制御部　１０５：液晶表示器
　１１１：電池　１１２：電池カバ−
　１１３：陽極金具　１１４：陰極金具
　１１５：電池ホルダ　１１６：電池装着部
　１１７：ｏリング　１１８：切り欠き
　１１９：凹部　１２０：ゴムキャップ
　１２１：磁石　１２２：水車
　１２３：水車支持部材　１２４：磁気スイッチ
　１２５：磁気スイッチホルダ　１２６：軸
　１３１：軸部　１３２：羽根
　１３３：羽根　１３４：回転軸穴
　１３５：磁石取付穴　１３６：硬化性樹脂
　１３７：硬化性樹脂　１４１：識別基板
　１４２：導電部材　１４３：ゴムスイッチ
　１４４：識別部ハウジング　１４５：スイッチ操作穴
　１５１：回路基板　１５２：基板ホルダ
　１５３：基板枠　１５４：リセットボタン
　１５５：硬化性樹脂　１５６：スイッチゴム
　１６１：ろ過カ−トリッジ交換表示素子
　１６２：電池交換表示素子　１６３：カ−リッジ種類表示素子
　１６４：ブロックＡ　１６５：ブロックＢ
　１６６：ブロックＣ　１６７：枠